【手続補正書】
【提出日】平成17年11月11日(2005.11.11)
【手続補正１】
【補正対象書類名】明細書
【補正対象項目名】特許請求の範囲
【補正方法】変更
【補正の内容】
【特許請求の範囲】
【請求項１】  少なくとも、複数の検索キーと、該各検索キー毎に関連付けされた一つ或いは複数のパラメータと、該各パラメータ毎に関連付けされたアプリケーションプログラムを示す情報とが記憶されたデータベースから、操作手段を介して入力された文字列に対応する検索キーを検出すると共に、この検出した検索キーに関連付けされている上記一つ或いは複数のパラメータを上記データベースから検出して表示手段に表示するパラメータ表示制御手段と、
上記各パラメータに対応する各種アプリケーションプログラムが記憶されたアプリケーションプログラム記憶手段と、
上記表示手段に表示されたパラメータのうち、上記操作手段を介して選択されたパラメータに対応するアプリケーションプログラムを、上記データベースから検出する対応アプリケーションプログラム検出手段と、
上記対応アプリケーションプログラム検出手段により検出されたアプリケーションプログラムを、上記アプリケーションプログラム記憶手段から読み出して起動制御するアプリケーションプログラム起動制御手段と
を有する携帯端末装置。
【請求項２】  請求項１に記載の携帯端末装置であって、
上記データベースには、
上記パラメータとして、「アクセス先となるユーザのユーザ名」、「該ユーザの電話番号」、「該ユーザのホームページのＵＲＬ（URL：Uniform Resource Locator）」、「該ユーザの電子メールアドレス」、及び「該ユーザの住所」のうち、いずれか一つ或いは複数が記憶されており、
上記ユーザの電話番号のパラメータに対応するアプリケーションプログラムを示す情報として「電話機能のアプリケーションプログラムを示す情報」が、上記ユーザのホームページのＵＲＬのパラメータに対応するアプリケーションプログラムを示す情報として「ブラウザ機能のアプリケーションプログラムを示す情報」が、上記ユーザの電子メールアドレスに対応するアプリケーションプログラムを示す情報として「電子メール機能のアプリケーションプログラムを示す情報」が、上記ユーザの住所のパラメータに対応するアプリケーションプログラムを示す情報として「位置検出機能のアプリケーションプログラムを示す情報」が記憶されていること
を特徴とする携帯端末装置。
【請求項３】  請求項２に記載の携帯端末装置であって、
上記対応アプリケーションプログラム検出手段で上記ユーザの電話番号のパラメータの選択が検出された場合、上記アプリケーションプログラム起動制御手段は、上記アプリケーションプログラム記憶手段から上記電話機能のアプリケーションプログラムを読み出して起動制御することで、上記ユーザの電話番号に対して自動的に発信すること
を特徴とする携帯端末装置。
【請求項４】  請求項２又は請求項３に記載の携帯端末装置であって、
上記対応アプリケーションプログラム検出手段で上記ユーザの住所のパラメータの選択が検出された場合、上記アプリケーションプログラム起動制御手段は、上記アプリケーションプログラム記憶手段から上記位置検出機能のアプリケーションプログラムを読み出して起動制御し、上記ユーザの住所を含む周辺の地図情報を上記表示手段に自動的に表示すること
を特徴とする携帯端末装置。
【請求項５】  請求項２から請求項４のうち、いずれか一項に記載の携帯端末装置であって、
上記対応アプリケーションプログラム検出手段で上記ユーザのホームページのＵＲＬのパラメータの選択が検出された場合、上記アプリケーションプログラム起動制御手段は、上記アプリケーションプログラム記憶手段から上記ブラウザ機能のアプリケーションプログラムを読み出してブラウザを起動制御し、上記ユーザのホームページの情報を上記表示手段に自動的に表示すること
を特徴とする携帯端末装置。
【請求項６】  少なくとも、複数の検索キーと、該各検索キー毎に関連付けされた一つ或いは複数のパラメータと、該各パラメータ毎に関連付けされたアプリケーションプログラムを示す情報とが記憶されたデータベースから、パラメータ表示制御手段が、操作手段を介して入力された文字列に対応する検索キーを検出すると共に、この検出した検索キーに関連付けされている上記一つ或いは複数のパラメータを上記データベースから検出して表示手段に表示するステップと、
対応アプリケーションプログラム検出手段が、上記ステップにおいて上記表示手段に表示されたパラメータのうち、上記操作手段を介して選択されたパラメータに対応するアプリケーションプログラムを上記データベースから検出するステップと、
アプリケーションプログラム起動制御手段が、上記各パラメータに対応する各種アプリケーションプログラムが記憶されたアプリケーションプログラム記憶手段から、上記ステップにおいて上記対応アプリケーションプログラム検出手段により検出されたアプリケーションプログラムを読み出して起動制御するステップと
を有するアプリケーションプログラムの起動方法。
【請求項７】  少なくとも、複数の検索キーと、該各検索キー毎に関連付けされた一つ或いは複数のパラメータと、該各パラメータ毎に関連付けされたアプリケーションプログラムを示す情報とが記憶されたデータベースから、操作手段を介して入力された文字列に対応する検索キーを検出すると共に、この検出した検索キーに関連付けされている上記一つ或いは複数のパラメータを上記データベースから検出して表示手段に表示するパラメータ表示制御手段としてコンピュータを機能させ、
上記パラメータ表示制御手段としてコンピュータを機能させることで、上記表示手段に表示されたパラメータのうち、上記操作手段を介して選択されたパラメータに対応するアプリケーションプログラムを、上記データベースから検出する対応アプリケーションプログラム検出手段としてコンピュータを機能させ、
コンピュータを上記対応アプリケーションプログラム検出手段として機能させることで検出されたアプリケーションプログラムを、上記各パラメータに対応する各種アプリケーションプログラムが記憶されたアプリケーションプログラム記憶手段から読み出して起動制御するアプリケーションプログラム起動制御手段としてコンピュータを機能させること
を特徴とするアプリケーションプログラムの起動プログラム。
【手続補正２】
【補正対象書類名】明細書
【補正対象項目名】０００１
【補正方法】変更
【補正の内容】
【０００１】
【発明の属する技術分野】
本発明は、携帯電話機やＰＤＡ装置（Personal Digital Assistant）等に適用して好適な携帯端末装置、アプリケーションプログラムの起動方法及びアプリケーションプログラムの起動プログラムに関する。
【手続補正３】
【補正対象書類名】明細書
【補正対象項目名】０００５
【補正方法】変更
【補正の内容】
【０００５】
本発明はこのような課題に鑑みてなされたものであり、その目的は、データベースを利用することが可能な携帯端末装置、及びデータベースを利用して様々な処理を可能とするアプリケーションプログラムの起動方法及びアプリケーションプログラムの起動プログラムを提供することにある。
【手続補正４】
【補正対象書類名】明細書
【補正対象項目名】０００６
【補正方法】変更
【補正の内容】
【０００６】
【課題を解決するための手段】
本発明は、上述の課題を解決するために、少なくとも、複数の検索キーと、該各検索キー毎に関連付けされた一つ或いは複数のパラメータと、該各パラメータ毎に関連付けされたアプリケーションプログラムを示す情報とが記憶されたデータベースから、操作手段を介して入力された文字列に対応する検索キーを検出すると共に、この検出した検索キーに関連付けされている上記一つ或いは複数のパラメータを上記データベースから検出して表示手段に表示する。そして、上記表示手段に表示されたパラメータのうち、上記操作手段を介して選択されたパラメータに対応するアプリケーションプログラムを上記データベースから検出し、このデータベースから検出したアプリケーションプログラムを、上記各パラメータに対応する各種アプリケーションプログラムが記憶されたアプリケーションプログラム記憶手段から読み出して起動制御する。
【手続補正５】
【補正対象書類名】明細書
【補正対象項目名】０００７
【補正方法】変更
【補正の内容】
【０００７】
これにより、表示手段に表示されたパラメータの中からユーザにより選択されたパラメータに対応するアプリケーションプログラムを自動的に起動制御することができる。従って、ユーザは、携帯端末装置等でデーターベースを利用し、このデータベースを用いて様々な処理を行うことができる。
【手続補正６】
【補正対象書類名】明細書
【補正対象項目名】００５０
【補正方法】変更
【補正の内容】
【００５０】
【発明の効果】
本発明は、ユーザが、携帯端末装置等でデーターベースを利用することを可能とすることができる。また、このデータベースを用いて様々な処理を行うことができる。